(57)【特許請求の範囲】
【請求項１】
投写型映像表示装置であって、
映像投写面に映像を投写して表示する映像投写部と、
前記投写型映像表示装置を操作する操作者を検出するセンサと、
前記センサの出力から操作者の動きを検出する操作検出部と、
前記操作検出部の検出結果に基づき前記映像投写部を制御する制御部と、を備え、
前記センサにより検出するセンシングエリアは、前記映像投写面の方向が鉛直の場合と水平の場合とで異なるように設定したことを特徴とする投写型映像表示装置。
【請求項２】
請求項1に記載の投写型映像表示装置であって、
前記センサによるセンシングエリアは、前記映像投写面の方向が鉛直の場合よりも水平の場合の方が狭いことを特徴とする投写型映像表示装置。
【請求項３】
請求項１に記載の投写型映像表示装置であって、
前記センサは、前記映像投写面の方向が鉛直の場合は操作者の手を検出し、水平の場合は操作者の手及び操作者の存在を検出することを特徴とする投写型映像表示装置。
【請求項４】
請求項１に記載の投写型映像表示装置であって、
前記センサによるセンシングエリアは、前記映像投写面の方向が水平の場合、前記映像投写面に対する操作者の位置によって切り替え、操作者が前記映像投写面の正面にいない場合は正面にいる場合よりも広くすることを特徴とする投写型映像表示装置。
【請求項５】
請求項１乃至４のいずれか１項に記載の投写型映像表示装置であって、
前記センサはセンシングエリアの異なる複数のセンサで構成し、
各センサ毎の有効／無効を切り替えることで、前記センサのセンシングエリアを変更することを特徴とする投写型映像表示装置。
【請求項６】
請求項１乃至４のいずれか１項に記載の投写型映像表示装置であって、
前記センサにはセンシングエリアを調整するための可動機構を取り付けたことを特徴とする投写型映像表示装置。
【請求項７】
請求項３に記載の投写型映像表示装置であって、
前記センサはセンシングエリアの異なる複数のセンサで構成し、
各センサ毎に検出する対象物を設定したことを特徴とする投写型映像表示装置。
【請求項８】
請求項１乃至７のいずれか１項に記載の投写型映像表示装置であって、
前記映像投写面の方向、あるいは前記投写型映像表示装置の設置状態が変動している間は、前記センサあるいは前記操作検出部の動作を停止させることを特徴とする投写型映像表示装置。
【請求項９】
請求項１に記載の投写型映像表示装置であって、
前記センサによるセンシングエリアは、前記映像投写面の方向が鉛直の場合、前記映像投写面に対する前記センサの位置によって切り替え、前記センサが前記映像投写面の上方にある場合は下方にある場合よりも狭くすることを特徴とする投写型映像表示装置。
【請求項１０】
請求項１乃至９のいずれか１項に記載の投写型映像表示装置であって、
前記センサは２個の焦電検出素子を並べて配置した焦電型センサであることを特徴とする投写型映像表示装置。
【請求項１１】
請求項１乃至１０のいずれか１項に記載の投写型映像表示装置であって、
前記投写型映像表示装置の設置状態を検出して前記映像投写面の方向を判定する設置状態検出部を有することを特徴とする投写型映像表示装置。
【請求項１２】
投写型映像表示方法であって、
映像を投写する映像投写面の方向が鉛直か水平かを検出するステップと、
前記検出した映像投写面の方向に応じて異なるセンシングエリアを設定するステップと、
前記設定したセンシングエリアにおいて操作者の動きを検出するステップと、
前記操作者の動きに基づき表示する映像を制御するステップと、を備え、
前記センシングエリアは、前記映像投写面の方向が鉛直の場合よりも水平の場合の方が狭いことを特徴とする投写型映像表示方法。
【発明の詳細な説明】
【技術分野】
【０００１】
本発明は、ユーザの操作を検出して映像を表示する投写型映像表示装置及び投写型映像表示方法に関する。
【背景技術】
【０００２】
本件技術分野に関し特許文献１には、ユーザにとって使い勝手のよい投影装置を提供することを目的に、撮像部が撮像した対象者の画像を入力する入力部と、撮像部が撮像した対象者の位置（または対象者の手の位置）に応じて、第１画像を投影する投影部を備える構成が開示されている。例えば、対象者の手の位置に応じて、スクリーンにポインタを投影することが記載されている。
【先行技術文献】
【特許文献】
【０００３】
【特許文献１】特開２０１２−１８５６３０号公報
【発明の概要】
【発明が解決しようとする課題】
【０００４】
特許文献１では、画像を投影する映像投写面（スクリーン）は壁等に鉛直に設けられていることを想定してユーザ（操作者）の位置を検出しており、投写面が水平に設置されている場合に関しては考慮されていない。後述するように、投写面の設置方向が鉛直の場合と水平の場合とでは、投写面に対するユーザの位置（手の位置）が異なってくる。そのため、投写面が鉛直に設置された場合に好適な投影装置であっても、投写面が水平に設置された場合には、ユーザの操作を精度良く検出できないことがあり、投影装置の機能が低下するという課題がある。【０００５】
本発明の目的は、映像投写面が鉛直だけでなく水平に設置されている場合でも、ユーザ（操作者）の操作を精度良く検出する投写型映像表示装置及び投写型映像表示方法を提供することである。
【課題を解決するための手段】
【０００６】
本発明は、投写型映像表示装置であって、映像投写面に映像を投写して表示する映像投写部と、投写型映像表示装置を操作する操作者を検出するセンサと、センサの出力から操作者の動きを検出する操作検出部と、操作検出部の検出結果に基づき映像投写部を制御する制御部と、を備え、センサにより検出するセンシングエリアは、映像投写面の方向が鉛直の場合と水平の場合とで異なるように設定したことを特徴とする。ここに、センサによるセンシングエリアは、映像投写面の方向が鉛直の場合よりも水平の場合の方が狭いことが好ましい。
【発明の効果】
【０００７】
本発明によれば、映像投写面の方向や投写型映像表示装置の設置状態によらず、ユーザの操作を精度良く検出することが可能となる。これにより、投写型映像表示装置におけるユーザの操作性と使い勝手が向上する。
【図面の簡単な説明】
【０００８】
【図１】本発明に係る投写型映像表示装置の一例を示す構成図（実施例１）。
【図２】投写型映像表示装置の使用形態の例を示す図。
【図３】焦電型センサによるユーザの操作の検出原理を説明する図。
【図４】１個の焦電型センサによるセンシングエリアを示す図。
【図５】２個の焦電型センサによるセンシングエリアを示す図。
【図６】投写面とセンシングエリアの位置関係を示す図。
【図７】投写面とユーザの位置関係を示す図。
【図８】投写面の方向に応じたセンシングエリアの設定を示す図。
【図９】センシングエリアの設定処理を示すフローチャート。
【図１０】天吊り設置におけるセンシングエリアの修正を説明する図。
【図１１】センサの設置場所と検出タイミングの関係を示す図。
【図１２】センサに可動機構を設けてセンシングエリアを調整する例を示す図。
【図１３】投写面の方向に応じてセンサの用途を変更する一例を示す図（実施例２）。
【図１４】センサ用途に関するユーザ設定画面の一例を示す図。
【図１５】センシングエリアの設定処理を示すフローチャート。
【図１６】ユーザの位置に応じてセンシングエリアを設定する例を示す図（実施例３）。
【図１７】センシングエリアの設定処理を示すフローチャート。
【発明を実施するための形態】
【０００９】
以下、図面を用いて実施例を説明する。
【実施例１】
【００１０】
実施例１では、投写型映像表示装置の設置状態や映像を投写する映像投写面（以下、投写面）の方向に応じて、ユーザ（操作者）の操作を検出するセンシングエリアを好適に設定することについて説明する。【００１１】
図１は、本発明に係る投写型映像表示装置の一例を示す構成図である。投写型映像表示装置１（以下、表示装置）は、ユーザの操作を検出する検出機能部１０と、投写面に映像を表示する表示機能部２０を備える。検出機能部１０は、２個のセンサ１１，１２、２個の操作検出部１３，１４、通信部１５、制御部１６を有する。表示機能部２０は、映像投写部２１、設置状態検出部２２、通信部２３、制御部２４を有する。ここに検出機能部１０と表示機能部２０は、独立した装置で構成しても良い。また、各構成要素１１〜１６、２１〜２４は、必要に応じて１または複数の構成要素にまとめて構成してもよい。例えば、要素１３〜１６は、１または複数の中央処理装置（ＣＰＵ）でその処理を行うことができる。さらに、検出機能部１０と表示機能部２０の要素のいくつかを外部に配置し、ネットワークやユニバーサルシリアルバス（ＵＳＢ）で接続する構成でも良い。【００１２】
検出機能部１０において、センサ１１及び１２は、ユーザの存在、特に手の動きを検出するものであって、例えば焦電型センサを用いる。センサには、焦電型検出素子の他にレンズ、回路基板等を含む。センサを複数個（２個）用いることで、複数の検出領域（センシングエリア）を設定し、使用する領域を切り替えることができる。センサとしては、他に、サーモパイル型センサ、カメラ、測距センサ、超音波センサ、静電容量センサ、光検出センサ等を用いることができる。【００１３】
操作検出部１３及び１４は、それぞれセンサ１１，１２の検出信号から、ユーザの動きを検出するもので、回路基板やソフトウェア等で構成される。通信部１５は、表示機能部２０との間で検出結果等のデータを送受信するインタフェースであり、ネットワーク接続やＵＳＢ接続、超音波ユニット、赤外線通信装置、可視光通信装置、無線通信装置等で構成される。制御部１６は、センサ１１，１２、操作検出部１３，１４、通信部１５を制御するもので、回路基板やソフトウェア等で構成される。特に、センサ１１，１２によるセンシングエリアを切り替える制御を行う。【００１４】
表示機能部２０において、映像投写部（以下、投写部）２１は、光源、映像表示素子（例えば液晶パネル）、投写レンズ等で構成され、図示しない映像装置から供給される映像信号を投写面（スクリーン、机上など）に投写して表示する。設置状態検出部２２は、表示装置１（表示機能部２０）が設置されている状態や投写面の方向を検出するものであり、センサとして重力センサ、ジャイロセンサ、加速度センサ、磁気センサ、高度センサ、傾斜センサ等を用いることができる。【００１５】
通信部２３は、検出機能部１０との間で設置状態などのデータを送受信するインタフェースであり、ネットワーク接続やＵＳＢ接続、超音波ユニット、赤外線通信装置、可視光通信装置、無線通信装置等で構成される。また通信部２３には、図示しない映像装置から映像信号が入力する。制御部２４は、投写部２１、設置状態検出部２２、通信部２３を制御するもので、回路基板やソフトウェア等で構成される。特に、ユーザ操作の検出データに基づいて、投写部２１の表示する映像を制御する。【００１６】
検出機能部１０は通信部１５を介して表示機能部２０に検出結果データ３１を出力する。このデータ３１には、ユーザ操作の種類、操作の方向、操作の速度、操作の位置、操作の大きさ等の情報が含まれる。一方表示機能部２０は通信部２３を介して検出機能部１０に設置状態データ３２を出力する。このデータ３２には、表示装置１（表示機能部２０）の設置状態や投写面の方向の情報が含まれる。【００１７】
図２は、投写型映像表示装置の使用形態の例を示す図である。ここに投写型映像表示装置１は、スクリーンや机上等の映像投写面２に対して近距離から投写するプロジェクタ（超短投写モデル）を例とし、投写面２に向かって見た様子を示す。表示装置（プロジェクタ）１を使用すると、投写面２が鉛直面、水平面のいずれであっても映像を投写することが可能であり、設置の向きを９０度回転させればよい。【００１８】
図２（ａ）は、壁やスクリーン等の鉛直な投写面２に映像を投写する使用形態で、表示装置１は投写面２の下方に設置し、投写方向は上方向（鉛直斜め方向）となる。ユーザ３は投写映像２００の正面に立って映像の手前に手をかざし、例えば手を左から右へ動かすような操作を行うことで、映像（スライド）はＰ１からＰ２に移動する。図２（ｂ）は、机の天板等の水平な投写面２に映像を投写する使用形態で、表示装置１は投写面２の前方に設置し、投写方向は手前方向（水平斜め方向）となる。ユーザ３は投写映像２００を上から覗き込める位置に立って映像の上方に手をかざし、例えば手を左から右へ動かすような操作を行うことで、映像はＰ１からＰ２に移動する。【００１９】
このようなユーザ３の操作は、表示装置１に組み込まれた検出機能部１０にて検出する。本例では、センサ１１，１２は投写部２１の近傍に配置している。検出機能部１０の検出結果は表示機能部２０に送られ、ユーザの操作と連動してスライドのページ送りやページ戻しの制御を行ったり、映像を切り替えたりすることができる。ユーザの操作はセンサ１１，１２を用いて検出するが、ここでは焦電型センサを用いた検出方法について説明する。【００２０】
図３は、焦電型センサによるユーザの操作の検出原理を説明する図である。焦電型センサ３００は人の存在を検知する人感センサ等に多く採用されており、焦電検出素子の前を人体や体の一部等の赤外線を放射する物体が通過すると、電圧を発生するものである。以下では、内部に２個の検出素子３００ａ，３００ｂを有する焦電型センサ３００を例に説明する。【００２１】
図３（ａ）は、素子３００ａ，３００ｂが左右（Ｘ方向）に並んでいて、その前で左から右へスワイプ動作を行った場合、素子３００ａ，３００ｂの検出信号波形を示す。信号波形が両極性パルスとなるのは、各素子がデュアル素子構成としているからである。素子３００ａによる検出タイミングが、素子３００ｂによる検出タイミングより所定時間早いことから、左から右へのスワイプ動作が行われたと判断することができる。【００２２】
また図３（ｂ）は、素子３００ａ，３００ｂが左右に並んでいて、その前で右から左へのスワイプ動作を行った場合、素子３００ａ，３００ｂの検出信号波形を示す。素子３００ｂによる検出タイミングが、素子３００ａによる検出タイミングより所定時間早いことから、右から左へのスワイプ動作が行われたと判断することができる。
なお、焦電型センサからの出力は、電圧でなく電流であっても良い。また、センサから出力される信号波形は、素子の構造により図３に示す波形と異なる形状であっても良い。【００２３】
焦電型センサの検出素子は、単体でも赤外線を検出して電圧を発生することができるが、素子単体では検出範囲（センシングエリア）の指向特性が固定される。そのため、フレネルレンズを組み合わせてエリアを修正し、所望のセンシングエリアを形成するようにした。以下、フレネルレンズを組み込んだ焦電型センサのセンシングエリアについて説明する。【００２４】
図４は、１個の焦電型センサによるセンシングエリアを示す図である。（ａ）はセンサ３００を正面（Ｚ方向）から見た図、（ｂ）は上面（Ｙ方向）から見た図、（ｃ）は側面（Ｘ方向）から見た図である。【００２５】
焦電型センサ３００の検出素子３００ａ，３００ｂによるセンシングエリアをそれぞれ４００ａ，４００ｂで示す。センサ３００にフレネルレンズ３１０を組み合わせると、各素子を起点としてセンシングエリアを絞り込むことができる。ここでは、所望の角度で放射状（四角錐状）に広がるセンシングエリアを形成している。またセンシングエリア４００ａ，４００ｂは、素子を並べた方向（Ｘ方向）に２つに分離し、両者間に検出不感帯が存在する。各素子のセンシングエリアを人体や体の一部が横切ると、対応する素子に検出信号が発生する。その際、不感帯を設けることで、移動体の動きの方向をより正確に検出することができる。また、フレネルレンズ３１０の形状を変えることで、図４（ｄ）に示すように、素子とセンシングエリアのＸ方向の位置関係を反転させることも可能である。【００２６】
図５は、２個の焦電型センサによるセンシングエリアを示す図である。本実施例では、図４に示した焦電型センサ３００を２個組み合わせ、２個の焦電型センサ１１，１２として上下方向（Ｙ方向）に並べて配置している。（ａ）はセンサ１１，１２を正面（Ｚ方向）から見た図、（ｂ）は上面（Ｙ方向）から見た図、（ｃ）は側面（Ｘ方向）から見た図である。各センサ１１，１２によるセンシングエリアをそれぞれ４０１，４０２とし、両者はＹ方向に隣接するように形成している。またそれぞれのエリアはＸ方向に配置した２個の検出素子により、４０１ａと４０１ｂ、４０２ａと４０２ｂに分離している。その結果、センシングエリアは左右方向（Ｘ方向）と上下方向（Ｙ方向）に分離された４個のエリアを有している。【００２７】
図６は、投写面とセンシングエリアの位置関係を示す図である。（ａ）（ｂ）は、鉛直投写面の場合、（ｃ）（ｄ）は、水平投写面の場合である。【００２８】
投写面２に対して操作を行うユーザ３を検出するためには、図５に示した２個のセンサ１１，１２を使用し、センサ１１は投写面２から遠いエリア、センサ１２は投写面２に近いエリアをカバーするように配置する。具体的には側面図（ｂ）（ｄ）に示すように、センサ１１によるセンシングエリア４０１ａ，４０１ｂは、その中心軸４０１ｃが投写面２と略平行になるように形成し、センサ１２によるセンシングエリア４０２ａ，４０２ｂは、その中心軸４０２ｃが投写面２に斜めに交差するように、好ましくは投写映像２００の中心付近で交わるように形成する。ユーザ３の手がセンシングエリア４０１ａ，４０１ｂまたは４０２ａ，４０２ｂを左右に横切るように操作すると、センサ１１または１２の各素子に検出信号が発生して、ユーザの操作を検出することができる。【００２９】
図７は、投写面とユーザの位置関係を示す図である。（ａ）は鉛直投写面の場合、（ｂ）は水平投写面の場合である。【００３０】
（ａ）の鉛直投写面に対してユーザ３が操作する場合は、ユーザ３の体の軸３ｃと投写面２はほぼ平行な位置関係になる。操作を行うユーザ３は、投写面２から少し離れた位置に立つことが多い。なぜなら、ユーザ３の体が投写面２に近くに存在すると、後方にいる他のユーザから投写面２の投写映像２００が見えにくくなり、これを回避するため、意識的に投写面２から離れて立つためである。その結果、投写面２から手先３ａまでの距離ｄは遠くなる傾向にある。【００３１】
（ｂ）の水平投写面に対してユーザ３が操作する場合は、ユーザ３の体の軸３ｃと投写面２はほぼ垂直な位置関係になる。そのとき操作を行うユーザ３は、ユーザの体で投写映像２００が遮られることを意識しなくてよいので、その結果、投写面２から手先３ａまでの距離ｄは近くなる傾向にある。【００３２】
このように投写面２が鉛直な場合と水平な場合とでは、投写面２に対するユーザ３の体の方向３ｃや、投写面から手先３ａまでの距離ｄが異なる。したがって、ユーザ３の操作を正しく検出するためには、投写面の方向に応じてセンシングエリアを適切に設定することが必要になる。【００３３】
図８は、投写面の方向に応じたセンシングエリアの設定を示す図である。（ａ）は鉛直投写面の場合、（ｂ）は水平投写面の場合である。【００３４】
（ａ）の鉛直投写面の場合は、図７（ａ）で説明したように投写面２からユーザの手先３ａまでの距離ｄは遠くなるので、遠いエリアにおいてユーザ３の手の動きを検出できるようにする。すなわち、図６（ｂ）におけるセンサ１１によるセンシングエリア４０１ａ，４０１ｂを有効にする。さらに、ユーザ３の手先３ａが投写面２に近づく場合もあるので、センサ１２によるセンシングエリア４０２ａ，４０２ｂも有効にする。【００３５】
（ｂ）の水平投写面の場合は、図７（ｂ）で説明したように投写面２からユーザの手先３ａまでの距離ｄは近くなるので、近いエリアにおいてユーザ３の手の動きを検出できるようにする。すなわち、図６（ｄ）におけるセンサ１２によるセンシングエリア４０２ａ，４０２ｂを有効にする。このとき、ユーザ３の体の軸３ｃと投写面２はほぼ垂直な位置関係になり、ユーザの手先３ａ以外の部分（ここではユーザの腕など）がセンサ１１のセンシングエリア４０１ａ，４０１ｂ内に入る場合がある。センサ１１で検出されるユーザの手先３ａ以外の部分の動きを検出信号に加えると、ユーザ操作を誤って検出する恐れがある。よって、センサ１１によるセンシングエリア４０１ａ，４０１ｂについては検出を無効にするよう設定する。このように、投写面２の方向に応じて使用するセンシングエリアを選択して設定する。【００３６】
各センサ１１，１２による検出の有効／無効を切り替えるには、図１においてセンサ１１，１２と操作検出部１３，１４との電気的接続をＯＮ／ＯＦＦする、あるいは、操作検出部１３，１４における検出処理動作をＯＮ／ＯＦＦする。これらのＯＮ／ＯＦＦ切り替えは、制御部１６により行われる。検出処理を無効にすることで、検出機能部１０における無駄な消費電力を抑える効果もある。【００３７】
投写面２の方向が鉛直であるか水平であるかの判定は、例えば設置状態検出部２２においてジャイロセンサや重力センサを用いて重力方向を検出し、表示装置１の設置状態（投写方向）から判定する。あるいは、照度センサを用いて表示装置１の背面（図８（ａ）では下側、図８（ｂ）では右側）の照度を測定し、照度の高低から表示装置１の投写方向を判定しても良い。その他、加速度センサ、磁気センサ、高度センサ、傾斜センサ等を利用することもできる。あるいは、ユーザがリモコンやボタン、スイッチ等の操作を通じて、投写面の方向を入力しても良い。このようにして得られた表示装置１の設置状態のデータ３２は、検出機能部１０の制御部１６へ送られ、操作検出部１３，１４を制御することでセンシングエリアを選択して設定する。【００３８】
ここで、投写面２の方向が鉛直でも水平でもなく、中間の角度に傾斜して設置されている場合も考えられる。その場合には、傾斜角度が鉛直か水平のいずれに近いかで判定しても良い。あるいは、２つのセンサ１１，１２のカバーするそれぞれのセンシングエリアの角度範囲に基づき、傾斜角度に対していずれのセンサを使用するかを予め定めておいて、これを適用しても良い。なお、設置状態検出部２２からの検出信号が変動するような場合は、表示装置１が移動中や設置作業中であることが考えられる。このような場合は、ユーザの操作は行われていないとみなし、両方のセンサ１１，１２による検出を無効にする。【００３９】
図９は、センシングエリアの設定処理を示すフローチャートである。
まず、Ｓ１００１では設置状態検出部２２により投写面の方向を判定する。判定方法は前記した通り、ジャイロセンサ等を用いて表示装置１の設置状態（投写方向）から判定する。投写面の方向が鉛直である場合はＳ１００２に、水平である場合はＳ１００３に進む。その際、斜め方向の場合もあるので、傾斜角度の閾値を設けて、閾値と比較することで鉛直または水平に振り分ける。ただし、投写面の方向が変動している場合はユーザ操作はないものとしてＳ１００４に進む。【００４０】
Ｓ１００２では、制御部１６はセンサ１１，１２による検出をいずれも有効となるよう設定する。Ｓ１００３では、センサ１１による検出を無効、センサ１２による検出を有効となるよう設定する。Ｓ１００４では、センサ１１，１２による検出をいずれも無効となるよう設定する。この設定は、制御部１６が操作検出部１３，１４を制御することで切り替える。
図９ではＳ１００１〜Ｓ１００４の処理で終了としているが、実際にはこのフローを繰り返して実行することで、投写面の方向が途中で変更された場合にも対応できる。【００４１】
以下、本実施例のいくつかの変形例を説明する。
上記実施例では、投写面２が鉛直である場合には、表示装置１を投写面２の下方に設置して映像を上方に投写する形態とした。これに対し、投写面２が鉛直である場合であって、表示装置１を天井や壁から吊るして映像を下方に投写する使用形態（天吊り設置）も可能である。このような場合には、センシングエリアの形状を修正するのが好ましい。【００４２】
図１０は、天吊り設置におけるセンシングエリアの修正を説明する図である。表示装置１はユーザ３の頭上方向に設置され、これから鉛直の投写面２に向けて映像が投写される。（ａ）は、前記図８（ａ）と同じようにセンシングエリアを設けた場合、（ｂ）はセンシングエリアを修正して設けた場合である。【００４３】
（ａ）の場合、表示装置１を天吊り設置することで、投写面２の近くに立つユーザ３の足３ｄがセンサ１１のセンシングエリア４０１ａ，４０１ｂ内に入ることがある。センサ１１がユーザの足３ｄに反応すると、誤検出となる。これを回避するために、センサ１１のセンシングエリアの形状を修正し、（ｂ）に示すようなエリア４０１ａ’，４０１ｂ’とする。すなわち、エリア４０１ａ，４０１ｂのユーザ側の境界４０１ｄを投写面２に近づけて、投写面２に略平行な境界４０１ｄ’とする。これにより、ユーザ３の足３ｄを検出する恐れがなくなる。なお、このエリア修正は、表示装置１の設置状態（天吊り設置）に応じて、図１２で後述するようにセンサ１１の取り付け姿勢等を変更すればよい。【００４４】
また、前記したようにセンサ１１，１２はそれぞれ２個の検出素子を有しており、２個の検出素子の検出タイミングがいずれが早いかによりユーザの操作方向（左→右、または右→左）を判定している。ただし、ユーザの操作方向が同方向であっても、センサの設置場所により検出タイミングが反転する場合があり、その例を示す。【００４５】
図１１は、センサの設置場所と検出タイミングの関係を示す図である。
（ａ）は焦電型センサ１１，１２の正面図で、図５（ａ）に示したように４個の検出素子ごとのセンシングエリア４０１ａ，４０１ｂ，４０２ａ，４０２ｂを有している。そのうちセンサ１２のセンシングエリア４０２ａ，４０２ｂが投写面２（投写映像２００）側に形成されるように、センサを設置するものとする。【００４６】
（ｂ）は、鉛直の投写面２の下方にセンサ１１，１２を設置した場合で、ユーザ３から見て左側にセンシングエリア４０１ｂ，４０２ｂ、右側にセンシングエリア４０１ａ，４０２ａが形成される。この状態で例えばユーザ３が左から右へスワイプ動作を行うと、センシングエリア４０１ｂ，４０２ｂの素子が先にユーザの動きに反応する。【００４７】
（ｃ）は、水平の投写面２の前方にセンサ１１，１２を設置した場合で、ユーザ３から見て左側にセンシングエリア４０１ａ，４０２ａ、右側にセンシングエリア４０１ｂ，４０２ｂが形成される。この状態でユーザ３が左から右へスワイプ動作を行うと、センシングエリア４０１ａ，４０２ａの素子が先にユーザの動きに反応する。よって、（ｂ）と（ｃ）のセンサ設置ではユーザ操作に対するセンサ内の２つの素子の検出タイミングが反転する。【００４８】
（ｄ）は、鉛直の投写面２の上方にセンサ１１，１２を設置した場合で、ユーザ３から見て左側にセンシングエリア４０１ａ，４０２ａ、右側にセンシングエリア４０１ｂ，４０２ｂが形成される。この状態でユーザ３が左から右へスワイプ動作を行うと、センシングエリア４０１ａ，４０２ａの素子が先にユーザの動きに反応し、（ｃ）の設置と同じ検出タイミングになる。【００４９】
このように、センサの設置に応じて、ユーザ操作に対するセンサの検出タイミングが反転してしまう。これを回避するため、表示装置１の設置形態に応じて、操作検出部１３，１４で行うタイミング判定処理を反転させることで、ユーザが行った操作方向を正しく検出できる。【００５０】
また、さらなる変形例として、センサに可動機構を設けてセンシングエリアを調整することもできる。
図１２は、センサに可動機構を設けてセンシングエリアを調整する例を示す図である。（ａ）では、センサ３００を載せた支持台５００を傾斜させ、可動レンズ５１０を介して形成されるセンシングエリア４００の方向を変えている。（ｂ）では、可動レンズ５１０の形状を変えて、センシングエリア４００の角度幅を変えている。（ｃ）では、可動遮蔽板５２０の開閉により、センシングエリア４００の角度幅を変えている。（ｄ）は、レーザ５３０をラインスキャンさせるセンサの場合で、レーザを反射させる角度可変ミラー５４０の傾斜角度を変えて、センシングエリアの方向を変えている。また、（ａ）〜（ｄ）に示した方法を組み合わせても良い。【００５１】
上記説明では、２個の検出素子を有する焦電型センサを２個使用したが、１個の検出素子を有するセンサを４個使用したり、４個の検出素子を有するセンサを１個使用することでもよい。あるいは、検出素子の合計数が４より多くなるようにセンサを構成し、より多くのセンシングエリアを設ければ、ユーザの細かい操作を検出できるようになる。また図１２のようにセンサに可動機構を設けることで、１個のセンサで複数通りのセンシングエリアを実現し、センサの数を削減することができる。【００５２】
センサは、焦電型センサの代わりに、各素子において絶対温度の検出が可能なサーモパイル型センサを使用できる。あるいはカメラを使用し、カメラ画像の上方がセンサ１１のセンシングエリア相当、下方がセンサ１２のセンシングエリア相当となるように撮影を行い、上方と下方の画像をそれぞれ解析してユーザの操作を検出しても良い。あるいは、光を照射して物体までの距離を取得するTime-Of-Flight方式、Structured Light方式等のセンサを使用しても良い。あるいは、測距センサ、超音波センサ、静電容量センサ、光検出センサ等を使用しても良い。【００５３】
本実施例によれば、投写面が鉛直か水平かに応じたセンシングエリアの設定を行い、投写面が水平の場合は、鉛直の場合よりもセンシングエリアが狭くなるようにする。これにより、投写面が鉛直、水平のいずれの場合もユーザの操作を正確に検出することが可能となり、投写型映像表示装置に対するユーザの操作性が向上する。
【実施例２】
【００５４】
実施例２では、投写面の方向に応じてセンサの用途を変更することで、ユーザの操作をより的確に検出する方法について説明する。【００５５】
図１３は、投写面の方向に応じてセンサの用途を変更する一例を示す図である。（ａ）は鉛直投写面の場合、（ｂ）は水平投写面の場合である。【００５６】
（ａ）の鉛直投写面の場合は、実施例１（図８）と同様と、センサ１１によるセンシングエリア４０１ａ，４０１ｂと、センサ１２によるセンシングエリア４０２ａ，４０２ｂの両方を有効とし、両方のエリアでユーザ３の手の動きを検出する。【００５７】
（ｂ）の水平投写面の場合は、センサ１１によるセンシングエリア４０１ａ，４０１ｂも有効とし、ユーザ３の体を検出するようにする。またセンサ１２によるセンシングエリア４０２ａ，４０２ｂではユーザ３の手の動きを検出する。センサ１１によりユーザ３の体を検出することで、新たにユーザ３の在／不在を検知することができる。操作検出部１３では、ある一定時間以上センサ１１から検出信号がなければ（あるいは信号が小さければ）、表示装置１（または投写面２）の前にユーザが居ないと判定する。この検出結果（ユーザ不在）は表示機能部２０へ伝えられる。ユーザが不在のときは映像を投写し続ける必要はないので、制御部２４は投写部２１に対し映像の投写を中止させ、あるいは表示装置１の電源を切る等の処理を行う。これにより、無駄な電力消費を抑えることができる。【００５８】
図１４は、センサ用途に関するユーザ設定画面の一例を示す図である。ユーザ設定画面６００は例えば投写部２１により投写面２に表示し、ユーザがリモコンやボタン、スイッチ等を介して設定する。ユーザ設定画面６００には、壁やスクリーンに映像を投写するときの設定画面６０１と、机上に映像を投写するときの設定画面６０２を表示する。 
設定画面６０１では、鉛直投写面の場合にユーザの手を検出するエリアを選択する。ここでは、投写面から近いエリアでのみ操作を受け付けるか、あるいは離れたエリアでも操作を受け付けるかを選択する。【００５９】
設定画面６０２では、水平投写面の場合にユーザの不在検知を行うか否かを選択する。その際、不在を検知してから表示装置（プロジェクタ）１本体の電源を切るまでの時間を設定できるようにしても良い。
このようなユーザ設定画面を設けることで、ユーザの体やユーザの使い方に合わせて表示装置を動作させることができる。【００６０】
図１５は、センシングエリアの設定処理を示すフローチャートである。
まず、Ｓ１１０１では設置状態検出部２２により投写面の方向を判定する。投写面の方向が鉛直である場合はＳ１１０２に、水平である場合はＳ１１０３に、投写面の方向が変動している場合はＳ１１０４に進む。【００６１】
Ｓ１１０２では、センサ１１，１２による検出をいずれも有効にして、Ｓ１１０５に進み、センサ１１，１２で手を検出するよう設定する。
Ｓ１１０３では、センサ１１，１２による検出をいずれも有効にして、Ｓ１１０６に進み、センサ１１で体を検出、センサ１２で手を検出するよう設定する。
Ｓ１１０４では、センサ１１，１２による検出をいずれも無効に設定する。以上のフローを繰り返して実行することで、投写面の方向が途中で変更された場合にも対応できる。【００６２】
本実施例によれば、投写面が鉛直か水平かに応じてセンサの用途を変更することにより、投写面の方向に応じたユーザの操作をより的確に検出でき、投写型映像表示装置に対するユーザの操作性と使い勝手が向上する。
【実施例３】
【００６３】
実施例３では、投写面の方向だけでなく、ユーザの位置に応じてセンシングエリアを設定することで、ユーザの操作をより正確に検出する方法について説明する。【００６４】
図１６は、ユーザの位置に応じてセンシングエリアを設定する例を示す図である。
（ａ）はユーザの位置を示す上面図で、投写面２が水平で、２人のユーザ３，３’が表示装置１の正面ではなく、両側面に立っている場合である。（ｂ）はこの場合のセンシングエリアを示す側面図で、２個のセンサ１１，１２を有効にし、両方のセンシングエリア４０１ａ，４０１ｂ，４０２ａ，４０２ｂでユーザの手を検出するよう設定する。【００６５】
投写面が水平の場合、前記実施例１（図８（ｂ））では、ユーザが表示装置１の正面に立っている場合を想定し、センサ１２によるセンシングエリア４０２ａ，４０２ｂのみを有効とし、センサ１１によるセンシングエリア４０１ａ，４０１ｂを無効とした。これに対し本実施例ではユーザの位置を考慮する。（ａ）のようにユーザ３，３’は表示装置１の両側面に立っているので、ユーザの手以外の体がセンサ１１のセンシングエリア４０１ａ，４０１ｂに入ることがなく、センサ１１により手の検出を行うことができる。この場合、センサ１１も手の検出のために用いることで、センシングエリアを拡大することができ、結果的にユーザの操作の検出精度が向上する。なお、ユーザが一人の場合でも同様である。【００６６】
ユーザが表示装置１の正面に居るか否かについては、センサ１１の検出信号から判定できる。ユーザが正面にいるときは、センサ１１の検出信号が常に大きくなり、正面にいないときは、センサ１１の検出信号は小さくなる。あるいは、検出信号が大きい期間と検出信号が小さい期間の割合からも、ユーザが正面に居るか否かを判定できる。
なお、投写面が鉛直の場合にはユーザの位置はほぼ固定されるので、センシングエリアは実施例１と同様に設定する。【００６７】
図１７は、センシングエリアの設定処理を示すフローチャートである。
まず、Ｓ１２０１では設置状態検出部２２により投写面の方向を判定する。投写面の方向が鉛直である場合はＳ１２０２に、水平である場合はＳ１２０３に、投写面の方向が変動している場合はＳ１２０４に進む。【００６８】
Ｓ１２０２では、センサ１１，１２による検出をいずれも有効にして、Ｓ１２０５に進み、センサ１１，１２で手を検出するよう設定する。【００６９】
Ｓ１２０３では、センサ１１，１２による検出をいずれも有効にして、Ｓ１２０６に進み、センサ１１は常に動きを検出しているか否かを判定する。常に動きを検出している場合はユーザが正面にいると判定してＳ１２０７に進み、センサ１２で手を検出するよう設定する。センサ１１が常に動きを検出しない場合はユーザは正面にいないと判定してＳ１２０５に進み、センサ１１，１２で手を検出するよう設定する。【００７０】
Ｓ１２０４では、センサ１１，１２による検出をいずれも無効に設定する。以上のフローを繰り返して実行することで、投写面の方向が途中で変更された場合にも対応できる。【００７１】
本実施例によれば、投写面が水平の場合にユーザの配置に応じてセンシングエリアの設定を行うことで、センシングエリアを拡大しユーザの操作をより正確に検出することができる。【００７２】
上記した各実施例は、本発明の説明のための例示であって、本発明は上記した各実施例に限定されるものではない。また、ある実施例の構成の一部を他の実施例の構成に置き換えることや、ある実施例の構成に他の実施例の構成を追加することも可能である。
【符号の説明】
【００７３】
１：投写型映像表示装置、
２：映像投写面、
３：ユーザ、
１０：検出機能部、
１１，１２：センサ（焦電型センサ）、
１３，１４：操作検出部、
１５，２３：通信部、
１６，２４：制御部、
２０：表示機能部、
２１：映像投写部、
２２：設置状態検出部、
３１：検出結果データ、
３２：設置状態データ、
２００：投写映像、
３００：焦電型センサ、
３００ａ，３００ｂ：検出素子、
３１０：フレネルレンズ、
４００ａ，４００ｂ，４０１ａ，４０１ｂ，４０２ａ，４０２ｂ：センシングエリア、
５００：支持台、
５１０：可動レンズ、
５２０：可動遮蔽板、
５３０：レーザ、
５４０：角度可変ミラー、
６００：ユーザ設定画面。
【図１】
0005974189.tif 000002
【図２】
0005974189.tif 000003
【図３】
0005974189.tif 000004
【図４】
0005974189.tif 000005
【図５】
0005974189.tif 000006
【図６】
0005974189.tif 000007
【図７】
0005974189.tif 000008
【図８】
0005974189.tif 000009
【図９】
0005974189.tif 000010
【図１０】
0005974189.tif 000011
【図１１】
0005974189.tif 000012
【図１２】
0005974189.tif 000013
【図１３】
0005974189.tif 000014
【図１４】
0005974189.tif 000015
【図１５】
0005974189.tif 000016
【図１６】
0005974189.tif 000017
【図１７】
0005974189.tif 000018